(57)【要約】【課題】電池等の電源を必要とせず、構造が簡単で、小型軽量で携帯に便利であり、複数種類の魚を個別にカウント可能な釣り用カウンターを提供すること。【解決手段】釣り用カウンターは、長方形の磁性体板からなり、３辺には２枚の側面板および背面板が装着され、表面に桁線および梁線からなる算盤形式の罫線が描かれた第１の基板と、第１の基板とほぼ同じ構成で、前記第１の基板より若干大きい第２の基板と、前記第１および第２の基板に吸着したまま移動可能であり、色および形状の内の少なくとも一方が異なる複数種類の複数の磁石玉から成る。本考案の釣り用カウンター１台で多種類の魚種を計数でき、構造が簡単で廉価で容易に製造でき、汚れても簡単に水洗いができる。更に、釣り用カウンターの側面を魚に当てて回転させることにより、釣った魚のサイズを計測できる。【選択図】図１
0003150707.tif 000002
【実用新案登録請求の範囲】
【請求項１】
長方形あるいは正方形の磁性体板からなり、前記長方形あるいは正方形の前方の１辺を除く３辺には前記板と垂直な２枚の側面板および背面板が装着されるか一体に形成され、表面に桁線および梁線からなる算盤形式の罫線が描かれた第１の基板と、
前記第１の基板を内部に配置可能な程度に前記第１の基板より若干大きい長方形あるいは正方形の磁性体板からなり、前記長方形あるいは正方形の前方の１辺を除く３辺には前記板と垂直な２枚の側面板および背面板が装着されるか一体に形成され、表面に桁線および梁線からなる算盤形式の罫線が描かれた第２の基板と、
前記第１および第２の基板に吸着したまま移動可能であり、色および形状の内の少なくとも一方が異なる複数種類の複数の磁石玉から成ることを特徴とする釣り用カウンター。
【請求項２】
前記基板の前部表面および、前記側面板および背面板の外面にスケール目盛りをつけたことを特徴とする請求項１に記載の釣り用カウンター。
【請求項３】
前記第２の基板の２つの側面板の前記磁性体板と連結している辺と反対側の辺に、前記第１の基板を内部に収納した時に前記第１の基板を保持するためのリブを設け、
かつ、前記第１の基板を前記第２の基板の内部に収納した時に、前記第１および第２の基板の対向する前記側面板の一方に突起を設け、他方の前記突起と対向する位置に前記突起と係合する凹部を設けた
ことを特徴とする請求項１乃至２のいずれかに記載の釣り用カウンター。
【請求項４】
更に、前記第１および第２の基板の裏面同士を合わせて止めるためのヘアピン状のクリップを備えたことを特徴とする請求項１乃至３のいずれかに記載の釣り用カウンター。
【請求項５】
更に、前記第１および第２の基板の裏面同士を合わせて止めるために、前記第１および第２の基板のいずれか一方の基板の裏面に磁石板を装着したことを特徴とする請求項１乃至３のいずれかに記載の釣り用カウンター。
【請求項６】
前記桁線および梁線の一方あるいは両方を線状の突起により描いたことを特徴とする請求項１乃至５のいずれかに記載の釣り用カウンター。
【考案の詳細な説明】
【技術分野】
【０００１】
本考案は、釣り用カウンターに関し、特に、簡単な構造で電池等の電源を必要とせず、複数種類の魚をそれぞれ個別にカウント可能な釣り用カウンターに関するものである。
【背景技術】
【０００２】
魚釣り中、その時点での釣果は釣りに夢中になっていて覚えていることが困難である。そこで、例えば船釣り等において使用される釣果を計数するカウンターとして各種のものが提案されている。例えば下記の特許文献１には、太陽電池を備え、電子的に釣果をカウントするカウンターが記載されている。また、下記の特許文献２には鉄板とマグネット貼着玉からなる算盤が開示されている。更に、下記の特許文献３には、算盤形式の罫線を引いた磁性ゴム板と金属片入りプラスティック珠からなる算盤が開示されている。
【０００３】
更に、下記の特許文献４には、本考案者が考案し、出願した釣果カウンターが記載されている。この釣果カウンターは、表または表裏両面に桁線および梁線からなる算盤形式の罫線を引いた磁性体からなる基板と、基板に吸着したまま移動可能であり、色および形状の内の少なくとも一方が異なる複数種類の磁石玉から成る。この釣果カウンターは１台で多種類の魚種を計数でき、構造が簡単で容易に製造でき、汚れても簡単に水洗いができる。更に、釣り用カウンターの側面を魚に当てて回転させることにより、釣った魚のサイズを計測できるものである。
【先行技術文献】
【特許文献】
【０００４】
【特許文献１】実用新案登録第３０４１８４７号公報
【特許文献２】実願平３−１１４６０５号（実開平５−５５１６８号）のＣＤ−ＲＯＭ
【特許文献３】実願平３−５９９４５号（実開平５−４２２６号）のＣＤ−ＲＯＭ
【特許文献４】実用新案登録第３１４６９０６号公報
【考案の開示】
【考案が解決しようとする課題】
【０００５】
前記したような従来の釣果カウンターにおいては、収納に対する考慮が足りず、収納時でも厚く、かつ磁石玉が露出しており、磁石玉が紛失する恐れがあるという問題点があった。本考案の目的は、上記した従来例の問題点を解決し、電池等の電源を必要とせず、簡単な構造であり、小型軽量で携帯に便利であり、かつ複数種類の魚をそれぞれ個別にカウント可能な釣り用カウンターを提供することにある。
【課題を解決するための手段】
【０００６】
本考案の釣り用カウンターは、長方形あるいは正方形の磁性体板からなり、前記長方形あるいは正方形の前方の１辺を除く３辺には前記板と垂直な２枚の側面板および背面板が装着されるか一体に形成され、表面に桁線および梁線からなる算盤形式の罫線が描かれた第１の基板と、前記第１の基板を内部に配置可能な程度に前記第１の基板より若干大きい長方形あるいは正方形の磁性体板からなり、前記長方形あるいは正方形の前方の１辺を除く３辺には前記板と垂直な２枚の側面板および背面板が装着されるか一体に形成され、表面に桁線および梁線からなる算盤形式の罫線が描かれた第２の基板と、前記第１および第２の基板に吸着したまま移動可能であり、色および形状の内の少なくとも一方が異なる複数種類の複数の磁石玉から成ることを主要な特徴とする。
【０００７】
また、前記した釣り用カウンターにおいて、前記基板の前部表面および、前記側面板および背面板の外面にスケール目盛りをつけた点にも特徴がある。また、前記した釣り用カウンターにおいて、前記第２の基板の２つの側面板の前記磁性体板と連結している辺と反対側の辺に、前記第１の基板を内部に収納した時に前記第１の基板を保持するためのリブを設け、かつ、前記第１の基板を前記第２の基板の内部に収納した時に、前記第１および第２の基板の対向する前記側面板の一方に突起を設け、他方の前記突起と対向する位置に前記突起と係合する凹部を設けた点にも特徴がある。
【０００８】
また、前記した釣り用カウンターにおいて、更に、前記第１および第２の基板の裏面同士を合わせて止めるためのヘアピン状のクリップを備えた点にも特徴がある。また、前記した釣り用カウンターにおいて、更に、前記第１および第２の基板の裏面同士を合わせて止めるために、前記第１および第２の基板のいずれか一方の基板の裏面に磁石板を装着した点にも特徴がある。また、前記した釣り用カウンターにおいて、前記桁線および梁線の一方あるいは両方を線状の突起により描いた点にも特徴がある。
【考案の効果】
【０００９】
本考案の釣り用カウンターは以下のような利点がある。
（１）複数種類のデータを入力、保持、更新できるため、本考案の釣り用カウンター１台で多種類の魚種を計数できる。
（２）構造が簡単で廉価で容易に製造でき、汚れても簡単に水洗いができる。
（３）収納時には磁石を着けたまま動かすことなく収納可能であり、厚さが半分になる。また、収納状態では密閉され、磁石がこぼれ出ることがなく、磁石の紛失を防止できる。
【００１０】
（４）磁石が基板に吸着しているために玉が動き難く、算盤の所謂「ご破算」の事故が起き難い。
（５）スチール等の金属製のため、ある程度の重量があり、荒波や強風で吹き飛ばされない。
（６）本考案の釣り用カウンターの側面を魚に当てて回転させることにより、釣った魚のサイズを計測できる。
（７）利用者に算盤の加減計算が出来る能力があれば、正確なカウントができ、魚を釣り上げた後、餌を付け、海中に投入して予定の棚まで沈む間に簡単に入力できる。
【図面の簡単な説明】
【００１１】
【図１】本考案の釣り用カウンターの収納時および使用時の構成を示す斜視図である。
【図２】本考案の釣り用カウンターの実施例２の構成を示す斜視図である。
【図３】本考案の釣り用カウンターの実施例３の構成を示す斜視図である。
【図４】本考案の釣り用カウンターの実施例４の構成を示す断面図である。
【考案を実施するための最良の形態】
【００１２】
以下、図面に従って、考案を実施するための最良の形態について説明する。
【実施例１】
【００１３】
図１は、本考案の釣り用カウンターの収納時および使用時の構成を示す斜視図である。図１（ａ）は本考案の釣り用カウンターの使用時の構成を示しており、内側基板１０と外側基板３０の裏面同士を合わせて固着してある。図１（ｂ）は本考案の釣り用カウンターの収納時の構成を示しており、内側基板１０が外側基板３０の内部に収納されている。図１（ｃ）は本考案の釣り用カウンターの内側基板１０の構成（単独使用時を含む）を示している。
【００１４】
本考案の釣り用カウンターは、鉄やニッケルなどの磁性体の金属板からなる長方形あるいは正方形の磁性体板からなり、表面に桁線および梁線からなる算盤形式の罫線が描かれた第１の基板である内側基板１０、内側基板１０を内部に配置可能な程度に内側基板１０より若干大きい長方形あるいは正方形の磁性体板からなる第２の基板である外側基板３０、およびこれらの基板１０、３０に吸着する複数の磁石玉１８、１９からなる。基板１０、３０は例えば８ｃｍ×８ｃｍ程度の長方形あるいは正方形の板であり、防錆のために塗装されている。
【００１５】
算盤の五珠と一珠の境の横板を「梁」、珠を通す棒を「桁」というが、内側基板１０、外側基板３０の表面には図示するように算盤の五珠と一珠の境の横板を示す梁線１５および桁を示す桁線１６が描かれている。
【００１６】
内側基板１０の前方を除く３方の辺には背面板１１および２枚の側面板１２が溶接、ハンダ付けあるいは接着剤により固着されているか、あるいは一体に形成されている。そして、内側基板１０の前部表面には例えば１ｃｍおきにスケール目盛り線１７が描かれている。背面板１１および２枚の側面板１２の外側の３つの側面には連続して例えば１ｃｍおきにスケール目盛り線１４、２０、３３が描かれている。
【００１７】
また、内側基板１０の２枚の側面板１２の後方には収納時に外側基板３０の側面板に設けられた凹部である孔３２と係合する突起１３が設けられている。なお、突起を外側基板３０の側面板の内側に設け、孔を内側基板１０の側面板に設けてもよい。
【００１８】
外側基板３０の構造および塗装は内側基板１０とほぼ同一であるが、外側基板３０の内部に内側基板１０を収納するために、外側基板３０の方が内側基板１０よりも若干大きくなっている。また、外側基板３０の２枚の側面板の基板３０と反対側の長辺には、収納時に内側基板１０と係合して内側基板１０を保持する細い帯状のリブ３１が設けられている。なお、リブを設けず、前述した突起１３と孔３２による係合、あるいは対向する側面板同士の摩擦による係合によって収納状態を維持するようにしてもよい。
【００１９】
外側基板３０の裏面には２枚の薄い磁石板３４が接着剤によって、あるいは自己の磁力によって固着あるいは吸着されている。この２枚の薄い磁石板３４によって内側基板１０と外側基板３０の裏面同士を合わせて固着することができる。なお、磁石板３４の代わりに表面に細かいフックを多数備え、テープ同士を着脱可能な周知のテープを内側基板１０と外側基板３０の双方の裏面に貼り付けてもよい。
【００２０】
磁石１８、１９は、色および形状の内の少なくとも一方が異なる複数種類の複数の磁石玉であり、例えば黄色、青、赤等に塗装された複数の磁石玉であってもよい。形状は例えば直径が５ｍｍ程度の平たい円筒形であってもよい。色および形が同一の種類の磁石の数は例えば１５個あれば１０進数で３桁の表示が可能である。但し、予備を含めて２０個程度備えている方が好ましい。
【００２１】
磁石１８、１９の水平断面形状は例えば円の他、楕円、長方形、正方形、三角形などを採用可能である。色および形の組み合わせにより決まる磁石の種類が例えば４種類あれば、内側基板１０および外側基板３０に２種類づつ配置することによって同時に４種類の魚を計数可能である。
【００２２】
次に、本考案の釣り用カウンターの使用方法について説明する。図１の使用例は、内側基板１０と外側基板３０の裏面同士を合わせて固着し、例えば黄色、青、赤、緑の４種類の磁石玉を使用して、、内側基板１０で２種類、外側基板３０で２種類の魚をカウント可能な例である。
【００２３】
この場合には、まず、内側基板１０に黄色および青の磁石玉をそれぞれ１５個づつ吸着させ、黄色の磁石玉１８を３本の桁線１６の左側に、青の磁石玉１９を３本の桁線１６の右側に、桁線１６に沿ってそれぞれ５個ずつ配置する。そして、５個の磁石玉の内の１個は梁線１５の更に上側に寄せ、残りの４個は下方に寄せて、算盤における「ご破算」と同じ位置に磁石玉を配置する（図１（ａ）の最も左側の桁線１６の左側の黄磁石玉１８の配置）。
【００２４】
外側基板３０には赤および緑の磁石玉を１５個づつ吸着させ、内側基板１０と同様に算盤における「ご破算」と同じ位置に磁石玉を配置する。これで計数準備が完了する。
【００２５】
計数は、魚が釣れるたびに、算盤と同じ要領で、魚種と対応する種類（色）の磁石玉を現在の値に１を足した値となるように上下に動かす。また、計数値は常時表示されており、図１（ａ）の例では表側の黄磁石玉１８の計数値が５３、青磁石玉１９の計数値が１３７、裏側の赤磁石玉２０の計数値が１３７である例を示している。
【００２６】
なお、磁石玉として強力な磁石を使用すれば、落下等によって計数値が不明になり難くすることが可能である。また、実施例においては、その桁に相当する２種類の磁石玉を桁線の左右に配置する例を開示したが、２本の桁線の間を１つの桁として利用してもよいし、多数の桁線１３を設けて、魚種毎に桁線の範囲を分け、範囲内では１種類の計数を行ってもよい。
【００２７】
魚の体長を計測する場合には、例えば本考案の釣り用カウンターの側面の長さが例えばちょうど８ｃｍとなっており、かつ３つの側面および基板の前面に目盛りが描かれているので、例えば側面の前端部を魚の端部に合わせ、魚の上において釣り用カウンターを縦に転がすことにより、任意の長さの魚の体長を計測することができる。
【００２８】
収納するときには、内側基板１０および外側基板３０の裏面がそれぞれ外側にくるようにして、内側基板１０を外側基板３０の内部に摺動させて収納する。完全に収納した場合に、内側基板１０の突起１３と外側基板３０の孔３２が係合して内側基板１０が容易に滑り出すことが防止される。
【００２９】
また、収納時には磁石を着けたまま動かすことなく収納可能であり、厚さが使用時の半分になる。また、収納状態では図１（ｂ）に示すように周囲が全て密閉され、磁石がこぼれ出ることがなく、磁石の紛失を防止できる。なお、収納状態から内側基板１０を引き出し易くするために、内側基板１０の裏面に波状の凹凸を付けるか切り欠きを設けてもよい。
【００３０】
図１においては内側基板１０と外側基板３０の裏面同士を合わせて固着して使用する例を開示したが、魚種が少ない場合などにおいては内側基板１０あるいは外側基板３０をそれぞれ単独で使用することも可能であり、この場合には内側基板１０と外側基板３０とを２名で独立して使用可能である。
【００３１】
また、外側基板３０を単独使用する場合には、裏面の磁石板３４を用いて外側基板３０を船の鉄製壁などに固定することも可能である。更に、外側基板３０の表面の磁石玉を取り除くことにより、内側基板１０の表裏を反転させて（表面が同じ向きになるように）外側基板３０内に収納することができ、このようにすれば、内側基板１０を外側基板３０内に収納したまま内側基板１０において計数が可能となる。
【００３２】
図２は本考案の釣り用カウンターの実施例２の構成を示す斜視図である。図１においては、内側基板１０と外側基板３０との固着に磁石板３４を用いる例を開示したが、実施例２は内側基板１０と外側基板３０との固着にクリップを用いる例である。
【００３３】
クリップ３５は、例えばヘアピンのような細長い棒状のものを２本以上用いることが可能であり、内側基板１０と外側基板３０の裏面同士を重ねて、前方から２個のヘアピン状のクリップ３５で挟んで着脱可能に固着する。クリップ３５は一方の基板に接着剤等を用いて固着しておいてもよい。また、後方からもクリップで固着するために内側基板１０と外側基板３０の双方の背面板１１の隅に孔３６を設けておいてもよい。
【００３４】
更に、一方の基板にクリップ３５を装着したままで収納可能とするために、収納したときにクリップ３５が当たる基板の表面の前部あるいは背面板１１の上部の一方あるいは双方にクリップが収まる切り欠き３７、３８を設けてもよい。実施例２においては、クリップ用のヘアピンは紛失しても容易に補充可能であり、基板の構成は実施例１より更に単純となる。
【００３５】
図３は本考案の釣り用カウンターの実施例３の構成を示す斜視図である。実施例１においては、梁線１５あるいは桁線１６、目盛り線１４、１７、２０、３３は塗料（インク）により描かれている（印刷されている）例を開示したが、磁石玉１８、１９の移動や内側基板１０の収納等によってこれらの線が剥がれて消えてしまう恐れがある。また、梁線１５を超えない範囲で、あるいは桁線１６に沿って磁石玉１８、１９を動かすには注意が必要である。
【００３６】
そこで、実施例３においては、磁石玉１８、１９が梁線あるいは桁線を超えて移動しないようにするために、梁線、桁線の一方あるいは双方を線状に隆起した凸部（突起）４０としたものである。また、基板１０の表面前部に設けた目盛りも線状に隆起した凸部４１としたものである。
【００３７】
更に、側面板１２の周囲の目盛りは円形あるいは楕円形の孔４２で表現されており、背面板１１の周囲の目盛りは角の丸い長方形のスリット（切り欠き）４３によって表現されている。孔あるいはスリットの形状や個数は任意である。このようにすれば、、梁線、桁線、目盛りが消失することを防止でき、耐久性が増すと共に、磁石玉１８、１９が梁線あるいは桁線を超えて移動しないので磁石玉の移動操作が容易となる。また、このような構造は金属板をプレス加工することによって容易に製造可能である。なお、梁線、桁線を孔やスリットで描いてもよいし、目盛りを突起あるいは凹部で描いてもよい。
【００３８】
図４は本考案の釣り用カウンターの実施例４の構成を示す断面図である。実施例１においては、内側基板１０と外側基板３０とが分離可能な例を開示したが、実施例４は２つの基板が蝶番等によって回動可能に固着されている例である。図４（ａ）、（ｂ）、（ｃ）、（ｄ）は、内部基板５０、外部基板５１、２枚の背面板５２、５３を３箇所の屈曲部５４、５５、５６で回動可能に連結した例である。
【００３９】
図４（ａ）は収納時を前方から見た断面図、（ｂ）は収納時を側面から見た断面図、（ｃ）は内部基板５０を１８０度回動した状態を示す側面から見た断面図、（ｄ）は内部基板５０を３６０度回動した状態を示す側面から見た断面図である。実施例１と異なる箇所は、実施例１の外部基板３０の側面板にあった細い帯状のリブ３１が無い点、および背面板の構成が異なる点である。
【００４０】
図４（ａ）、（ｂ）、（ｃ）、（ｄ）は、内部基板５０、外部基板５１、２枚の背面板５２、５３を３箇所の屈曲部５４、５５、５６で回動可能に連結した例である。なお、図４（ｃ）あるいは（ｄ）の状態にて計数に使用可能である。また、図４（ｄ）の状態で固定するために、裏面に図１（ｂ）に示すような磁石板を備えてもよい。
【００４１】
３箇所の屈曲部５４、５５、５６は、通常の蝶番を使用可能な他、例えば布あるいはプラスティックフィルム等の柔軟性のあるシートを内部基板５０、外部基板５１、２枚の背面板５２、５３の表面を覆うように接着剤で貼り付けることにより形成することもできる。
【００４２】
図４（ｅ）、（ｆ）は、内部基板６０の背面板６１と、外部基板６３の背面板６４とを蝶番６２で回動可能に連結した他の例である。図４（ｅ）は収納時を側面から見た断面図、（ｆ）は内部基板６０を１８０度回動した状態を示す側面から見た断面図である。この例の場合には内部基板６０は１８０度以上は回動しない。
【００４３】
以上、実施例について開示したが、本考案には以下のような変形例も考えられる。夜釣り用に蛍光塗料により塗装した磁石玉を使用してもよく、桁線、梁線、目盛りも蛍光塗料により描いてもよい。
実施例においては、内側基板１０と外側基板３０の両方に梁線１５および桁線１６を描いて計数に使用する実施例を開示したが、例えば外側基板３０には梁線１５および桁線１６は描かず、磁石玉のストック用に使用してもよい。
【産業上の利用可能性】
【００４４】
本考案の釣り用カウンターは釣りに限らず、植物採取、動植物の観測、その他操作環境が劣悪な状態で複数種類を計数する作業に有用である。
【符号の説明】
【００４５】
１０    内側基板
１１    背面板
１２    側面板
１３    突起
１４    側板の目盛り
１５    梁線
１６    桁線
１７    基板の目盛り
１８    黄磁石玉
１９    青磁石玉
３０    外側基板
３４    磁石板
【図１】
0003150707.tif 000003
【図２】
0003150707.tif 000004
【図３】
0003150707.tif 000005
【図４】
0003150707.tif 000006